(57)【要約】【課題】  キャビネット内に浸入した液体を活電部の各種電子部品にかけないこと。【解決手段】  キャビネット１内に液晶モジュ−ル４が配置され、該液晶モジュ−ル４のリアフレーム４ｂにプリント配線基板からなる制御基板５が起立状態で係止され、該制御基板５の下部に一次側Ａの各種電子部品が実装されると共に、その制御基板５の上部に二次側Ｂの各種電子部品が実装され、制御基板５の一次側Ａと二次側Ｂとの間に放熱板７が配置され、該放熱板７が、横長矩形状金属板からなり、該金属板の一側縁近傍に設定した折れ目を境にして一体的に形成した放熱板本体７ａと補助板７ｂとにより形成され、その補助板７ｂから折れ目を横断して放熱板本体７ａまで制御基板５に接する排水口１４が形成されており、その排水口１４を通って下方に液体が流出されるようにした。【選択図】        図１
2009282216.tif 000002
【特許請求の範囲】
【請求項１】
フロントキャビネットと天板部及び底板部に通気孔を貫設したリアキャビネットとから
なるキャビネット内に薄型装置本体が配置され、該装置本体のリアフレームにプリント配
線基板からなる制御基板が起立状態で係止され、該制御基板の下部に一次側の各種電子部
品が実装されると共に、その制御基板の上部に二次側の各種電子部品が実装されており、
前記装置本体の前面に設けた表示部に映像を表示するようにした薄型表示装置において、
前記制御基板の一次側と二次側との間に放熱板が配置され、該放熱板が、横長矩形状金属
板からなり、該金属板の一側縁近傍に設定した折れ目を境にして一体的に形成した放熱板
本体と補助板とにより形成され、その補助板から折れ目を横断して放熱板本体まで制御基
板に接する排水口が形成されており、その排水口を通って下方に液体が流出されるように
したことを特徴とする薄型表示装置。
【請求項２】
前記放熱板本体が排水口に向かってわずかな勾配で下向きに傾斜されていることを特徴
とする請求項１に記載の薄型表示装置。
【請求項３】
前記補助板が放熱板本体から鈍角の対向角度をおいて制御基板の一側縁に向けて斜め上
方に延ばされ、前記放熱板本体の遊端が前記制御基板の一側縁と他側縁との間の中間線を
越えて該制御基板の他側縁に向けて延ばされていることを特徴とする請求項２に記載の薄
型表示装置。
【請求項４】
前記補助板から折れ目を横断して放熱板本体まで略Ｌ字状切れ目が形成され、該切れ目
で区切られた舌片を制御基板の一側縁に向けて斜め下方に折り曲げることにより、前記排
水口が形成されていることを特徴とする請求項３に記載の薄型表示装置。
【発明の詳細な説明】
【技術分野】
【０００１】
本発明は、例えば液晶テレビや液晶モニターなどの薄型表示装置に関し、特に、簡単な
構造でキャビネット内に浸入した液体が活電部の各種電子部品にかからないようにしたも
のである。
【背景技術】
【０００２】
従来、薄型表示装置の一例として図６〜図８に示すものがあり、これは液晶テレビであ
って、図６は同縦断面図、図７は同横断面図、図８（ａ）は同要部の斜視図、図８（ｂ）
は同要部の背面図である。
【０００３】
図６及び図７に示すように、フロントキャビネット１Ａと天板部１ａ及び底板部１ｂに
通気孔２，３を貫設したリアキャビネット１Ｂとからなるキャビネット１内に液晶モジュ
−ル（薄型装置本体）４が配置され、該液晶モジュ−ル４の前面に液晶パネル（表示部）
４ａが配置されると共に、その液晶モジュ−ル４の後部にリアフレーム４ｂが配置され、
そのリアフレーム４ｂと液晶パネル４ａとの間に冷陰極管（図示せず）が配置され、リア
フレーム４ｂにプリント配線基板からなる制御基板５が起立状態で係止され、該制御基板
５の下部に一次側Ａのトランス６や放熱板７付きトランジスタ８などの各種電子部品が実
装されると共に、その制御基板５の上部に二次側Ｂの各種電子部品（図示せず）が実装さ
れている。なお、９は電源コード、１０は冷陰極管を制御するためのプリント配線基板か
らなるインバータ基板であって、フレキシブルフラットケーブル１１を介して制御基板５
に接続されている。
【０００４】
図８に示すように、放熱板７は、横長矩形状金属板からなり、該金属板の一側縁近傍に
設定した折れ目Ｐを境にして一体的に形成した放熱板本体７ａと補助板７ｂとにより略Ｌ
字状に形成され、放熱板本体７ａが制御基板５の一側縁５ａ近くからその他側縁５ｂに向
けて水平に延ばされ、補助板７ｂが放熱板本体７ａから直角の対向角度αをおいて上方に
延ばされている。なお、１２は放熱板７を制御基板５に固定する固定具である。
【０００５】
上記構成において、液晶モジュ−ル４を作動させ、冷陰極管により後方から液晶パネル
４ａを照らし、その液晶パネル４に映像を表示する。なお、関連する技術として特許文献
１に記載したものがある。
【特許文献１】特開２００２−２０９１５９号公報
【発明の開示】
【発明が解決しようとする課題】
【０００６】
上記従来の構成では、放熱板７の機能として、それに付けたトランジスタ８などの電子
部品の放熱を促進するためだけのものであるから、その放熱板７の面積が比較的小さく、
また、放熱板本体７ａが水平に位置決めされているため、例えば花瓶を倒すなどして液晶
テレビに上方から液体Ｗをこぼすことにより、そのこぼした液体Ｗが上側通気孔２からキ
ャビネット１内に浸入すると、その浸入した液体Ｗが一次側Ａの活電部の各種電子部品に
直接かかったり、図８に示すように、制御基板５を伝って流下した液体Ｗが放熱板７上に
一旦溜まり、その溜まった液体Ｗが徐々に流下することにより放熱板の下方に配置した一
次側Ａの活電部の各種電子部品や配線が長期にわたって濡れてショート事故が発生し発煙
や発火が生じるおそれがある。
【０００７】
本発明は、上記従来の欠点に鑑み、キャビネット内に浸入した液体が活電部の各種電子
部品にかからないようにした薄型表示装置を提供することを目的としている。
【課題を解決するための手段】
【０００８】
上記目的を達成するため、請求項１に記載の発明は、フロントキャビネットと天板部及
び底板部に通気孔を貫設したリアキャビネットとからなるキャビネット内に薄型装置本体
が配置され、該装置本体のリアフレームにプリント配線基板からなる制御基板が起立状態
で係止され、該制御基板の下部に一次側の各種電子部品が実装されると共に、その制御基
板の上部に二次側の各種電子部品が実装されており、前記装置本体の前面に設けた表示部
に映像を表示するようにした薄型表示装置において、前記制御基板の一次側と二次側との
間に放熱板が配置され、該放熱板が、横長矩形状金属板からなり、該金属板の一側縁近傍
に設定した折れ目を境にして一体的に形成した放熱板本体と補助板とにより形成され、そ
の補助板から折れ目を横断して放熱板本体まで制御基板に接する排水口が形成されており
、その排水口を通って下方に液体が流出されるようにしたことを特徴としている。
【０００９】
請求項２に記載の発明は、請求項１に記載の発明において、前記放熱板本体が排水口に
向かってわずかな勾配で下向きに傾斜されていることを特徴としている。
【００１０】
請求項３に記載の発明は、請求項２に記載の発明において、前記補助板が放熱板本体か
ら鈍角の対向角度をおいて制御基板の一側縁に向けて斜め上方に延ばされ、前記放熱板本
体の遊端が前記制御基板の一側縁と他側縁との間の中間線を越えて該制御基板の他側縁に
向けて延ばされていることを特徴としている。
【００１１】
請求項４に記載の発明は、請求項３に記載の発明において、前記補助板から折れ目を横
断して放熱板本体まで略Ｌ字状切れ目が形成され、該切れ目で区切られた舌片を制御基板
の一側縁に向けて斜め下方に折り曲げることにより、前記排水口が形成されていることを
特徴としている。
【発明の効果】
【００１２】
請求項１に記載の発明によれば、例えば花瓶を倒すなどしてキャビネット内に浸入した
液体が放熱板本体及び補助板からなる放熱板に受け止められると、その液体が補助板から
放熱板本体かけて形成した排水口を通って下方に流出されるから、従来のように放熱板上
に溜まった液体が徐々に流下することによりその放熱板の下方に配置した一次側の活電部
の各種電子部品や配線が長期にわたって濡れてショート事故が発生し発煙や発火が生じる
のを確実に防ぐことができる。
【００１３】
請求項２に記載の発明によれば、放熱板本体に受け止められた液体が該放熱板本体の傾
斜に沿って排水口まで直ちに送り出されるようになっており、その放熱板本体上に液体が
溜まることによるショート事故などの不都合を一層確実に解消することができる。
【００１４】
請求項３に記載の発明によれば、補助板が制御基板の一側縁に向けて斜め上方に延ばさ
れると共に、放熱板本体の遊端が制御基板の中間線を越えて該制御基板の他側縁に向けて
延ばされており、その補助板と放熱板本体とが制御基板の一次側と二次側との間に広く配
置されているから、その補助板及び放熱板本体の下方に一次側の活電部の各種電子部品を
配置することにより、その活電部の各種電子部品に上方から浸入してきた液体が直接にか
からないようにすることができるものであって、要するに、構造を複雑にすることなく放
熱板に放熱機能と防水機能とを兼備させたものであり、経済的で実用的価値が高い。
【００１５】
請求項４に記載の発明によれば、放熱板上から排水口の舌片上を通って制御基板の一側
縁に到る排水通路が形成されているから、その排水通路から離れた位置に一次側の活電部
の各種電子部品を配置することにより、その活電部の各種電子部品が液体で濡れないよう
にすることができる。
【発明を実施するための最良の形態】
【００１６】
図１及び図２は本発明の実施の一形態である薄型表示装置を示すものであり、これは液
晶テレビであって、図１は同横断面図、図２（ａ）は同要部の斜視図、図２（ｂ）は同要
部の横断面図である。
【００１７】
図１及び図２に示すように、制御基板５の一次側Ａと二次側Ｂとの間に放熱板７が配置
され、該放熱板７が、横長矩形状金属板からなり、該金属板の一側縁近傍に設定した折れ
目Ｐを境にして一体的に形成した放熱板本体７ａと補助板７ｂとにより形成され、その補
助板７ｂから折れ目Ｐを横断して放熱板本体７ａまで制御基板５に接する排水口１４が形
成され、放熱板本体７ａが排水口１４に向かってわずかな勾配β（この実施の形態では５
°）で下向きに傾斜され、補助板７ｂが放熱板本体７ａから鈍角（この実施の形態では１
１５°）の対向角度αをおいて制御基板５の一側縁５ａに向けて斜め上方に延ばされ、制
御基板５の一側縁５ａとその他側縁５ｂとから等間隔ｈをおいた位置に中間線Ｏが設定さ
れ、放熱板本体７ａの遊端が中間線Ｏを越えて制御基板５の他側縁５ｂに向けて延ばされ
ている。上記以外の構成は図６〜図８に示す構成とほぼ同じであるから、同一部分に同一
符号を付してその説明を省略する。
【００１８】
上記構成によれば、例えば花瓶を倒すなどして液晶テレビに上方から液体Ｗをこぼすこ
とにより、そのこぼした液体Ｗが上側通気孔２からキャビネット１内に浸入し、その浸入
した液体Ｗが放熱板本体７ａ及び補助板７ｂからなる放熱板７に受け止められると、その
液体Ｗが排水口１４を通って下方に流出されるから、図８に示す従来例のように放熱板７
上に溜まった液体Ｗが徐々に流下することによりその放熱板７の下方に配置した一次側の
活電部のトランス６などの各種電子部品や配線が長期にわたって濡れてショート事故が発
生し発煙や発火が生じるのを確実に防ぐことができる。
【００１９】
また放熱板本体７ａに受け止められた液体Ｗが該放熱板本体７ａの傾斜に沿って排水口
１４まで直ちに送り出されるようになっており、その放熱板本体７ａ上に液体Ｗが溜まる
ことによるショート事故などの不都合を一層確実に解消することができる。
【００２０】
更に、補助板７ｂが制御基板５の一側縁５ａに向けて斜め上方に延ばされると共に、放
熱板本体７ａの遊端が制御基板５の中間線Ｏを越えて該制御基板５の他側縁５ｂに向けて
延ばされており、その補助板７ｂと放熱板本体７ａとが制御基板５の一次側Ａと二次側Ｂ
との間に広く配置されているから、その補助板７ｂ及び放熱板本体７ａの下方に一次側の
活電部のトランス６などの各種電子部品を配置することにより、その活電部の各種電子部
品に上方から浸入してきた液体Ｗが直接にかからないようにすることができる。
【００２１】
要するに、構造を複雑にすることなく放熱板７に放熱機能と防水機能とを兼備させたも
のであって、経済的で実用的価値が高い。
【００２２】
図３〜図５は本発明の実施の他の形態である薄型表示装置を示すものであり、図３は同
横断面図、図４（ａ）は同要部の斜視図、図４（ｂ）は同要部の横断面図、図５（ａ）及
び（ｂ）は同放熱板形成手順を示す斜視図である。
【００２３】
放熱板７の形成手順を説明すると、図５（ａ）に示すように、直線状の放熱板７の補助
板７ｂから折れ目Ｐを横断して放熱板本体７ａまで略Ｌ字状切れ目１５を形成し、図５（
ｂ）に示すように、折れ目Ｐを中心に放熱板７を折り曲げると共に、切れ目１５で区切ら
れた舌片１６を下向きに折り曲げ、排水口１４を形成する。
【００２４】
続いて、図３及び図４に示すように、舌片１６付き放熱板７を制御基板５の一次側Ａと
二次側Ｂとの間に固定具１２で固定する。これにより、舌片１６が制御基板５の一側縁５
ａに向けて斜め下方に折り曲げられた状態で位置決めされる。上記以外の構成は図１及び
図２に示す実施の一形態とほぼ同じであるから、同一部分に同一符号を付してその説明を
省略する。
【００２５】
上記構成によれば、図１及び図２に示す実施の一形態とほぼ作用効果を得ることができ
、特に、放熱板７上から排水口１４の舌片１６上を通って制御基板５の一側縁５ａに到る
排水通路Ｒ（図３参照）が形成されているから、その排水通路Ｒから離れた位置に一次側
の活電部のトランス６などの各種電子部品を配置することにより、その活電部の各種電子
部品が液体Ｗで濡れないようにすることができる。
【図面の簡単な説明】
【００２６】
【図１】本発明の実施の一形態である薄型表示装置を示す横断面図である。
【図２】（ａ）は同要部の斜視図、（ｂ）は同要部の横断面図である。
【図３】本発明の実施の他の形態である薄型表示装置を示す横断面図である。
【図４】（ａ）は同要部の斜視図、（ｂ）は同要部の横断面図である。
【図５】（ａ）及び（ｂ）は同放熱板形成手順を示す斜視図である。
【図６】従来例を示す縦断面図である。
【図７】同横断面図である。
【図８】（ａ）は同要部の斜視図、（ｂ）は同要部の背面図である。
【符号の説明】
【００２７】
１          キャビネット
１Ａ        フロントキャビネット
１Ｂ        リアキャビネット
１ａ        天板部
１ｂ        底板部
２，３      通気孔
４          液晶モジュ−ル（装置本体）
４ａ        液晶パネル（表示部）
４ｂ        リアフレーム
５          制御基板
５ａ        制御基板の一側縁
５ｂ        制御基板の他側縁
７          放熱板
７ａ        放熱板本体
７ｂ        補助板
１４        排水口
１５        切れ目
１６        舌片
Ａ          一次側
Ｂ          二次側
Ｐ          折れ目
Ｏ          中間線
α          対向角度
β          勾配
【図１】
2009282216.tif 000003
【図２】
2009282216.tif 000004
【図３】
2009282216.tif 000005
【図４】
2009282216.tif 000006
【図６】
2009282216.tif 000007
【図７】
2009282216.tif 000008
【図８】
2009282216.tif 000009
【図５】
2009282216.tif 000010